(57)【特許請求の範囲】
【請求項１】
基地局との間で無線通信を行う無線通信部と、
情報処理装置が直接、または入出力される通信データの符号化・復号化およびモデム制御用コマンドの解釈を行って回線接続要求制御コマンドを導出するデジタルセルラーアダプタを介して間接的に、接続されるシリアルデータ通信接続部と、
制御部と、
第１切換部と、
第２切換部と、
データ解析部であって、
シリアルデータ通信接続部からの信号が与えられ、
モデム制御用コマンドが入力された場合には、情報処理装置からの信号がシリアルデータ通信接続部に直接入力されていると認識し、第２切換部がデータ解析部とデジタルデータ通信処理部とをつなぐ切換え動作をするように指示する切換制御コマンドを制御部に与え、第２切換部の前記切換え動作が終了した後、モデム制御用コマンドを、第２切換部を介して、デジタル通信処理部に与え、
回線接続要求制御コマンドが入力された場合には、情報処理装置からの信号がシリアルデータ通信接続部に、デジタルセルラーアダプタを介して入力されていると認識し、その回線接続要求制御コマンドを制御部に与えるデータ解析部と、
入出力される通信データの符号化・復号化を行うとともに、モデム制御用コマンドを解釈して回線接続要求制御コマンドを制御部に与えるデジタル通信処理部とを含み、
前記制御部は、
デジタルデータ通信処理部からの回線接続要求制御コマンドに応答し、
第１切換部を制御してデジタルデータ通信処理部と無線通信部とをつないでデータ通信経路を確立し、情報処理装置が、シリアルデータ通信接続部、データ解析部、第２切換部、デジタルデータ通信処理部、第１切換部および無線通信部の経路でデータ通信を行わせ、
データ解析部からの回線接続要求制御コマンドに応答し、第２切換部を制御して第１切換部とデータ解析部とをつなぐとともに、第１切換部を制御して第２切換部と無線通信部とをつないで、データ通信経路を確立し、情報処理装置が、デジタルセルラーアダプタ、シリアルデータ通信接続部、データ解析部、第２切換部、第１切換部および無線通信部の経路でデータ通信を行わせることを特徴とする携帯電話機。
【請求項２】
使用者の操作に基づいて優先信号を制御部に入力する動作優先部を備え、
制御部は、優先信号が入力されると、コマンドの指示に拘わらず、操作部からの音声通信制御信号に基づいて音声通信経路を確立することを特徴とする請求項１記載の携帯電話機。
【発明の詳細な説明】
【０００１】
【発明の属する技術分野】
本発明は、単独で、またはパーソナルコンピュータやＰＤＡ（personal digital assistant）などの情報処理装置と接続して、無線電送路を介してデータ通信を行う携帯電話機に関する。
【０００２】
【従来の技術】
ノートブック型パーソナルコンピュータなどの情報処理装置とデジタル携帯電話機とを接続して無線電送路を介してデータ通信を行う方法が特開平８−４６５６６号公報に開示されている。
【０００３】
図４は、このような従来の情報処理装置とデジタル携帯電話機との接続状態を示すブロック図である。情報処理装置１とデジタル携帯電話機２とは、デジタルセルラーアダプタ３を介して接続される。デジタルセルラーアダプタ３は、ＩＣカード型に構成され、ノートパソコンなどの情報処理装置１のＩＣカードスロットに装着して情報処理装置１に接続される。
【０００４】
デジタルセルラーアダプタ３を用いてデータ通信を行うには、音声帯域モードとデジタルモードとがあり、音声帯域モードでデータ通信を行う場合は、デジタルセルラーアダプタ３に内蔵されるモデム４によって情報処理装置１からのデジタルデータ信号をアナログ信号に変換し、ＰＣＭコーデック５で再びデジタル信号に変換し、さらにデジタル携帯電話機２に内蔵されるＡＤＰＣＭコーデック６で符号化してデータ圧縮して無線部７から基地局８に無線電送路を介して通信データを送信する。また、デジタルセルラーアダプタ３に対する制御は情報処理装置１からのコマンドをコントローラ２５で解釈して制御する。受信する場合は前述と逆の経路をたどる。
【０００５】
上述したようにモデム４によってデジタル信号を一旦アナログ信号に変換するのでなく、デジタル信号のままでデータ通信を行うデジタルモードの場合は、デジタルセルラーアダプタ３に内蔵されるデータリンク部９を介して行われる。データリンク部９は、入出力される通信データの符号化・復号化を行い、情報処理装置１から入力された通信データを符号化してデジタル携帯電話機２に送り、デジタル携帯電話機２の無線部７から基地局８に無線電送路を介して通信データを送る。デジタルセルラーアダプタ３に対する制御は、情報処理装置１からのコマンドをコントローラ２５で解釈して制御する。また受信した通信データはデジタルセルラーアダプタ３内のデータリンク部９で復号化して情報処理装置１に送る。
【０００６】
【発明が解決しようとする課題】
このように従来のデジタル携帯電話機２では、デジタルセルラーアダプタ３を介して情報処理装置１に接続しなければならず、データ通信を行うためには常にデジタルセルラーアダプタ３を別途に用意しなければならいといった問題を有する。
【０００７】
本発明の目的は、デジタルセルラーアダプタを用いることなく情報処理装置に直接接続してデータ通信を行うことができる携帯電話機を提供することである。
【０００８】
【０００９】
【００１０】
【００１１】
【００１２】
【００１３】
【００１４】
【００１５】
【課題を解決するための手段】
上記目的を達成するために、本発明は、基地局との間で無線通信を行う無線通信部と、
情報処理装置が直接、または入出力される通信データの符号化・復号化およびモデム制御用コマンドの解釈を行って回線接続要求制御コマンドを導出するデジタルセルラーアダプタを介して間接的に、接続されるシリアルデータ通信接続部と、
制御部と、
第１切換部と、
第２切換部と、
データ解析部であって、
シリアルデータ通信接続部からの信号が与えられ、
モデム制御用コマンドが入力された場合には、情報処理装置からの信号がシリアルデータ通信接続部に直接入力されていると認識し、第２切換部がデータ解析部とデジタルデータ通信処理部とをつなぐ切換え動作をするように指示する切換制御コマンドを制御部に与え、第２切換部の前記切換え動作が終了した後、モデム制御用コマンドを、第２切換部を介して、デジタル通信処理部に与え、
回線接続要求制御コマンドが入力された場合には、情報処理装置からの信号がシリアルデータ通信接続部に、デジタルセルラーアダプタを介して入力されていると認識し、その回線接続要求制御コマンドを制御部に与えるデータ解析部と、
入出力される通信データの符号化・復号化を行うとともに、モデム制御用コマンドを解釈して回線接続要求制御コマンドを制御部に与えるデジタル通信処理部とを含み、
前記制御部は、
デジタルデータ通信処理部からの回線接続要求制御コマンドに応答し、
第１切換部を制御してデジタルデータ通信処理部と無線通信部とをつないでデータ通信経路を確立し、情報処理装置が、シリアルデータ通信接続部、データ解析部、第２切換部、デジタルデータ通信処理部、第１切換部および無線通信部の経路でデータ通信を行わせ、
データ解析部からの回線接続要求制御コマンドに応答し、第２切換部を制御して第１切換部とデータ解析部とをつなぐとともに、第１切換部を制御して第２切換部と無線通信部とをつないで、データ通信経路を確立し、情報処理装置が、デジタルセルラーアダプタ、シリアルデータ通信接続部、データ解析部、第２切換部、第１切換部および無線通信部の経路でデータ通信を行わせることを特徴とする携帯電話機である。
【００１６】
本発明に従えば、シリアルデータ通信接続部には情報処理装置が直接接続されるか、またはデジタルセルラーアダプタを介して間接的に接続される。情報処理装置から出力されるモデム制御用コマンドは、アダプタによって解釈され、アダプタは、回線接続要求制御コマンドを導出し、シリアルデータ通信接続部を通って、データ解析部へ送られる。ここでアダプタを介して回線接続要求制御コマンドが送られてきた場合には、データ解析部は、それを認識し、制御部に、第２切換部を制御してデータ解析部と第１切換部とをつなぐコマンドを入力し、その直後にデータ解析部はアダプタを介して送られてきたコマンドを制御部へ送る。制御部は、データ解析部を介して送られた回線接続要求制御コマンドに基づいて無線通信部を制御して呼を張り、第１切換部を制御して第２切換部と無線通信部とをつないでデータ通信の経路を確立する。
またデータ解析部はアダプタを介して送られた通信データを認識すると、この通信データを通過させて無線通信部へ送り、無線通信部から基地局との間に確立された無線電送路を介して通信データを送信する。無線通信部が受信した通信データは第１切換部、第２切換部、データ解析部およびシリアルデータ通信接続部を介してアダプタに送られ、復号化して情報処理装置へ送られる。このようにしてアダプタを介してデータ通信が行われる。
【００１７】
データ解析部が、シリアルデータ通信接続部からの信号が情報処理装置からのモデム制御用コマンドを直接送られたものと認識すると、第２切換部がデータ解析部とデジタルデータ通信処理部とをつなぐ切換制御コマンドを制御部に入力し、その直後にデータ解析部に送られてきたモデム制御用コマンドを、第２切換部を介して、デジタルデータ通信処理部へ送る。デジタルデータ通信処理部は、モデム制御用コマンドを解釈して制御部が理解できる形に変換した回線接続要求制御コマンドを制御部へ入力する。制御部は、デジタルデータ通信処理部からのコマンドに基づいて無線通信部を制御して呼を張り、第１切換部を制御してデジタルデータ通信処理部と無線通信部とをつないでデータ通信の経路を確立する。情報処理装置から出力された通信データは、シリアルデータ通信接続部、データ解析部、第２切換部、デジタルデータ通信処理部に入力され、符号化されて第１切換部を介して無線通信部へ送られ、無線通信部から送信される。
【００１８】
無線通信部が受信した通信データは逆の経路をたどり、デジタルデータ通信処理部で復号化されて情報処理装置へ入力される。このようにして情報処理装置と携帯電話機とを接続してデータ通信を行う場合に、情報処理装置を直接接続しても、アダプタを介して間接的に接続しても、携帯電話機内部で自動的に情報処理装置から直接入力された信号か、アダプタを介して間接的に入力された信号かを判定してデータ通信を行うことができる。このように接続口が１つであるので使用者が接続箇所を間違って接続するといったことが防がれる。
【００１９】
【００２０】
【００２１】
【００２２】
【００２３】
【００２４】
【００２５】
【００２６】
【００２７】
【００２８】
【００２９】
さらに、本発明は、上記の構成に加え、使用者の操作に基づいて優先信号を制御部に入力する動作優先部を備え、制御部が、優先信号が入力されると、コマンドの指示に拘わらず、操作部からの音声通信制御信号に基づいて音声通信経路を確立するよう構成したものである。
【００３０】
本発明に従えば、データ通信時に動作優先部を操作して優先信号を制御部に入力すると、制御部は情報処理装置からのコマンドの指示に拘わらず、操作部からの音声通信信号に基づいて無線通信部と切換部とを制御して音声通信経路を確立するので、データ通信時にたとえば緊急に音声通信する必要が生じたとしても迅速に音声通信状態に移行することが可能である。
【００３１】
【発明の実施の形態】
図１は、本発明の前提となるデジタル携帯電話機１０の構成を示すブロック図である。本実施形態では、デジタル携帯電話機１０にはノートブック型パーソナルコンピュータまたはＰＤＡなどの情報処理装置２０が直接接続される。
【００３２】
デジタル携帯電話機１０は基地局との間で無線通信を行う無線通信部１１と、情報処理装置２０が直接接続されるシリアルデータ通信接続部と、シリアルデータ通信接続部に接続されるデジタルデータ通信処理部と、無線通信部１１とデジタルデータ通信処理部１６との間に介在される切換部１８とを有し、この切換部１８は変換部１４を介して音声入出力部１３に接続される。切換部１８および無線通信部１１を制御する制御部は、使用者がダイアルなどの操作をする操作部１２およびデジタルデータ通信処理部１６および動作優先部１９に接続され、これらからの制御信号に基づいて無線通信部１１および切換部１８を制御する。
【００３３】
シリアルデータ通信接続部１５はケーブルを介して情報処理装置２０のシリアルインターフェイスコネクタに接続され、デジタル携帯電話機１０と情報処理装置２０との間で信号の送受信を行う。デジタルデータ通信処理部１６はシリアルデータ通信部を介して情報処理装置２０から入力された通信データのデータ量を圧縮するために符号化を行い、また送信した通信データを復号化して情報処理装置２０に入力する。また情報処理装置２０から送られたモデムを制御するために用いられるＡＴコマンドを解釈して、必要に応じて制御部１７が理解できる形の制御コマンドに変換して制御部１７に入力する。
【００３４】
無線通信部１１は、制御部からの制御信号に基づいて回線変化して呼を張り、基地局との間の無線伝送路を介して無線通信を行う。情報処理装置２０からの通信データおよび音声入出力部からの音声通信信号は無線通信部１１でデジタル変調されて送信される。受信した通信データおよび音声通信信号はデジタル復調されて情報処理装置２０または音声入出力部１３へ送られる。
【００３５】
音声入出力部１３はマイクおよびスピーカを有し、変換部１４はデジタル／アナログ変換およびアナログ／デジタル変換する。音声入出力部１３のマイクから入力された音声はアナログ信号であるので、変換部１４でデジタル変換され、その後符号化されて無線通信部１１へ送られて送信される。無線通信部１１で受信された音声通話データは復号化された後、変換部１４に入力されてアナログ変換され、音声入出力部１３のスピーカから音声として出力される。この音声通信データの符号化・復号化は、切換部１８を切換えてデジタルデータ通信処理部１６内で行われる。
【００３６】
次に本構成の動作について説明する。切換部１８は通常無線通信部１１と変換部１４とをつなぎ、制御部１７は操作部１２からの入力を受付可能な音声通信モードとなっており、デジタルデータ通信処理はＡＴコマンドを受付可能なコマンドモードとなっている。情報処理装置２０が接続され、情報処理装置２０からＡＴコマンドが出力されるとＡＴコマンドはシリアルデータ接続部１５を通ってデジタルセルラーアダプタと同等の機能であるデジタルデータ通信処理部１６に送られる。デジタルデータ通信処理部１６は、初期状態はコマンドモードであるので、ＡＴコマンドを解釈して、必要に応じてコマンドエコーやリザルトコードを情報処理装置２０に送り返す。ＡＴコマンドが回線接続を要求するものであれば、デジタルデータ通信処理部１６は制御部１７が理解できる形の回線接続を要求する制御コマンドに変換して制御部１７に入力する。制御部１７に制御コマンドが入力されるとデジタル携帯電話機１０は音声通信モードからデータ通信モードに移行し、制御部１７は操作部１２からの入力を受付けなくなる。
【００３７】
制御部１７は、デジタルデータ通信処理部１６から入力された制御コマンドに基づいて無線通信部１１を制御して回線要求して呼を張り、切換部１８を制御してデジタルデータ通信処理部１６と無線通信部１１とをつないでデータ通信経路を確立する。デジタルデータ通信処理部１６は、データ通信経路を確立して接続完了後に情報処理装置２０へリザルトコードを送り、コマンドモードからデータ通信モードに移行する。情報処理装置２０は、接続成功のリザルトコードを受取った後にデータ送信を始める。
【００３８】
情報処理装置２０から送信された通信データは、シリアルデータ通信接続部１５を通ってデジタルデータ通信処理部１６へ送られる。デジタルデータ通信処理部１６はデータ通信モードになっているので、通信データはデジタルデータ通信処理部１６で符号化された後、切換部１８を通って無線通信部１１へ送られ、無線通信部１１から送信される。逆に無線通信部が受信した通信データは、切換部１８を通ってデジタルデータ通信処理部１６で復号化されてシリアルデータ通信接続部１５を介して情報処理装置２０へ到達する。
【００３９】
データ通信終了のコマンドが送られると制御部１７は自動的に切換部１８を制御して無線通信部１１と変換部１４とをつなぎ、デジタル携帯電話機１０は音声通信モードに移行する。このようにしてデジタル携帯電話機１０と情報処理装置２０との間にデジタルセルラーアダプタを介在することなくデータ通信を行うことが可能となる。
【００４０】
次に音声通話モードについて説明する。使用者によってダイヤル操作などされ、操作部から音声通信制御信号が制御部１７に入力されると、制御部１７は無線通信部１１を制御して呼を張るとともに、切換部１８を制御して無線通信部１１と変換部１４とをつなぎ、音声通信経路を確立する。音声入出力部１３のマイクから入力された音声はデジタル変換されて無線通信部から送信され、逆に無線通信部が受信した音声通信信号はアナログ変換されて音声入出力部１３から音声として出力される。このようにして音声通信が行われる。
【００４１】
携帯電話機１０は通常は音声通信モードであるが、情報処理装置２０から制御コマンドが入力されると、データ通信モードに移行し、データ通信経路を確立している間は、制御部１７は操作部１２からの入力を受付けず、データ通信経路を維持する。したがって、データ通信時に誤って操作部１２からキー入力が行われてもデータ通信を正常に継続できる。
【００４２】
また、情報処理装置２０がデータ通信を開始すると自動的にデータ通信モードに切換わるので、使用者による情報処理装置２０および携帯電話機１０の双方の設定が不要となり、いずれかの設定を誤って通信が行えなくなるといったことが防がれる。
【００４３】
またデータ通信中に緊急に音声通信を行う必要が生じたときは、動作優先部１９を操作して制御部１７に優先信号を入力する。優先信号が入力されると音声通信モードに移行し、制御部１７は操作部１２からの音声通信制御信号に基づいて無線通信部１１および切換部１８を制御して音声通信経路を確立する。このようにしてデータ通信中に緊急に音声通信する必要が生じたときであっても、動作優先部１９の操作によってデータ通信モードから音声通信モードに切換えて音声通信を行うことが可能となる。
【００４４】
図２は本発明の前提となる他のデジタル携帯電話機３５を示すブロック図である。なお図１に示されるデジタル携帯電話機１０に対応する構成には同一の参照符を付し、説明を省略する。本実施形態のデジタル携帯電話機３５は、第１シリアルデータ通信接続部１５および第２シリアルデータ通信接続部２１を備え、２つのコネクタを有する。したがってデジタル携帯電話機３５と情報処理装置２０とを接続する場合には、情報処理装置２０と第１シリアルデータ通信接続部１５とを直接接続するか、またはデジタルセルラーアダプタ３０を介して情報処理装置２０を第２シリアルデータ通信接続部２１に間接的に接続することができる。デジタルセルラーアダプタ３０は情報処理装置２０からのＡＴコマンドを解釈して制御部１７が理解できる制御コマンドに変換するとともに、入出力する通信データの符号化・復号化を行う。
【００４５】
デジタル携帯電話機３５の切換部１８は第１切換部２３と第２切換部２４とから成り、それぞれ制御部１７によって制御される。第２シリアルデータ通信接続部２１と第２切換部２４との間にはデータ判定部２２が介在され、このデータ判定部２２は制御部１７にも接続される。第２切換部２４は第１シリアルデータ通信接続部１５に接続されるデジタルデータ通信処理部１６および第１切換部２４に接続され、第１切換部２４は無線通信部１１および変換部１４に接続される。
【００４６】
デジタルセルラーアダプタ３０は、たとえばＩＣカード型に構成され、ノートブック型パーソナルコンピュータなどの情報処理装置２０のＩＣスロットに装着されて情報処理装置２０に接続される。
【００４７】
データ判定部２２は、第２シリアルデータ通信接続部２１を介して情報処理装置２０から送られてくる信号が通信データか制御コマンドかを判定し、制御コマンドは制御部１７に送り、通信データは通過させて第２切換部２４へ送る。
【００４８】
次にデジタル携帯電話機３５の動作について説明する。情報処理装置２０が第１シリアルデータ通信接続部１５に直接接続されている場合は、前述のデジタル携帯電話機１０と同様にデジタルデータ通信処理部１６でＡＴコマンドを解釈し、制御部１７を介して無線通信部１１を制御して呼を張り、第１切換部２３を制御して無線通信部１１と第２切換部２４とにつなぎ、第２切換部２４を制御して第１切換部２３とデジタルデータ通信処理部１６とにつないでデータ通信経路を確立してデータ通信を行う。
【００４９】
第２シリアルデータ接続部２１にデジタルセルラーアダプタ３０を介して情報処理装置２０が接続されている場合、情報処理装置２０からのＡＴコマンドはデジタルセルラーアダプタ３０で解釈され、必要に応じて情報処理装置２０にコマンドエコーやリザルトコードを送り返し、ＡＴコマンドが回線接続を要求するものであれば、制御部１７が理解できる形に変換してデータ判定部２２へ送る。データ判定部２２は第２シリアルデータ接続部２１からの信号が制御コマンドか否かを判定し、制御コマンドであれば制御部１７へ送り、制御コマンドでなければ通信データと判定して、そのまま通過させて第２切換部２４へ送る。データ判定部２２によって振分けられた制御コマンドは制御部１７に渡されると、制御部１７は制御コマンドに基づいて無線通信部１１を制御して呼を張り、切換部１８の第１切換部２３を制御して無線通信部１１と第２切換部２４とをつなぎ、第２切換部２４を制御して第１切換部２３とデータ判定部２２とをつないでデータ通信経路を確立する。
【００５０】
回線接続完了を示す制御コマンドが制御部１７からデータ判定部２２、第２シリアルデータ通信接続部２１を介してデジタルセルラーアダプタ３０に送られると、デジタルセルラーアダプタ３０はリザルトコードを情報処理装置２０に送り返す。その後、情報処理装置２０はデジタルセルラーアダプタ３０、第２シリアルデータ通信接続部２１、データ判定部２２、第２切換部２４、第１切換部２３、無線通信部１１という経路でデータ通信が行われる。
【００５１】
また音声通信は操作部１２を操作することによって音声通信経路を確立して音声通話を行う。またデータ通信を行う場合には情報処理装置２０から信号を送ることによって自動的に動作が切換わり、デジタル携帯電話機１０と同様に誤って操作部１２からキー入力が行われたとしてもデータ通信を維持することができる。またデータ通信中に緊急に音声通話をする必要が生じた場合には、動作優先部１９を介して優先信号を制御部１７に入力することによって音声通信モードに切換わり、音声通信を行うことができる。
【００５２】
図３は本発明の実施の一形態であるデジタル携帯電話機４０を示すブロック図である。なお、図１および図２に示されるデジタル携帯電話機１０，３５に対応する構成には同一の参照符を付し、説明を省略する。デジタル携帯電話機４０は１つのシリアルデータ通信接続部１５を有し、このシリアルデータ通信接続部１５に情報処理装置２０が直接、またはデジタルセルラーアダプタ３０を介して間接的に接続される。
【００５３】
シリアルデータ通信接続部１５にはデータ解析部４１が接続され、このデータ解析部４１は制御部１７および第２切換部４２に接続され、第２切換部４２はデジタルデータ通信処理部１６および第１切換部３６に接続され、制御部１７によって制御される。第１切換部３６はデジタルデータ通信処理部１６、第２切換部４２、変換部１４および無線通信部１１に接続され、制御部１７によって制御される。データ解析部４１は、シリアルデータ通信接続部１５から入力された信号が情報処理装置２０から直接入力された信号か、またはデジタルセルラーアダプタ３０を介して間接的に入力された信号かを解析し、さらに入力された信号がＡＴコマンドか制御コマンドかそれ以外かを判定する。
【００５４】
次に本実施形態のデジタル携帯電話機４０の動作について説明する。デジタル携帯電話機４０と情報処理装置２０とをデジタルセルラーアダプタ３０を介さずに直接接続した場合、情報処理装置２０から出力されたＡＴコマンドはシリアルデータ通信接続部１５を通ってデータ解析部４１に送られる。データ解析部４１はＡＴコマンドであることを認識すると、データ解析部４１とデジタルデータ通信処理部１６とをつなぐように第２切換部４２に指示する切換制御コマンドを制御部１７に入力する。第２切換部４２の切換え動作が終了した後、データ解析部４１はＡＴコマンドを第２切換部４２を介してデジタルデータ通信処理部１６に送る。
デジタルデータ通信処理部１６は、初期状態はコマンドモードであり、ＡＴコマンドを解釈して必要に応じてコマンドエコーやリザルトコードを情報処理装置２０に向けて送り返す。ＡＴコマンドが回線接続を要求するものであれば、デジタルデータ通信処理部１６は制御部１７に回線接続を要求する制御コマンドを送る。制御部１７はデジタルデータ通信処理部１６からの回線接続要求制御コマンドに基づいて、無線通信部１１を制御して呼を張り、第１切換部３６を制御してデジタルデータ通信処理部１６と無線通信部１１をつないでデータ通信経路を確立する。デジタルデータ通信処理部１６は接続完了後に情報処理装置２０へ向けてリザルトコードを送り、コマンドモードからデータ通信モードに移行する。情報処理装置２０はリザルトコードを受取るとデータ情報処理装置２０、シリアルデータ通信接続部１５、データ解析部４１、第２切換部４２、デジタルデータ通信処理部１６、第１切換部３６および無線通信部１１という経路でデータ通信を行う。
【００５５】
デジタル携帯電話機４０と情報処理装置２０とがデジタルセルラーアダプタ３０を介して間接的に接続されている場合、情報処理装置２０から出力されたＡＴコマンドはデジタルセルラーアダプタ３０で解釈され、デジタルセルラーアダプタ３０は必要に応じてコマンドエコーやリザルトコードを情報処理装置２０に送り返す。ＡＴコマンドが回線接続を要求する制御コマンドであれば、シリアルデータ通信接続部１５を介して、回線接続を要求する制御コマンドをデータ解析部４１へわたす。データ解析部４１は、回線接続要求制御コマンドであることを認識すると、制御部１７に入力し、制御部１７はその制御コマンドに基づいて第２切換部４２を制御して第１切換部３６とデータ解析部４１とをつなぎ、データ解析部４１は続けて制御コマンドを制御部１７に送り、制御部１７はこの制御コマンドに従って無線通信部１１を制御して呼を張り、第１切換部３６を制御して第２切換部４２と無線通信部１１とをつないでデータ通信経路を確立する。
【００５６】
回線接続が完了したら、制御部１７からデータ解析部４１、シリアルデータ通信接続部１５を介してデジタルセルラーアダプタ３０へ回線接続完了が通知される。デジタルセルラーアダプタ３０から情報処理装置２０へ回線接続完了のリザルトコードが送られると、情報処理装置２０、デジタルセルラーアダプタ３０、シリアルデータ通信接続部１５、データ解析部４１、第２切換部４２、第１切換部３６、無線通信部１１という経路でデータ通信が行われる。
【００５７】
このように情報処理装置２０をデジタル携帯電話機４０に直接接続する場合であっても、デジタルセルラーアダプタ３０を介して間接的に接続する場合であっても、これらを接続するシリアルデータ通信接続部１５のコネクタは１つで済む。また情報処理装置２０が直接接続された場合であっても、デジタルセルラーアダプタ３０を介して間接的に接続された場合であっても、データ解析部４１で情報処理装置２０からの信号が判断されて自動的に切換え制御が行われるので、デジタル携帯電話機４０および情報処理装置２０の双方の設定を行う必要がなくなり、設定の間違いによってデータ通信が不可能になるといった事態が防がれる。
【００５８】
音声通信を行う場合には、操作部１２を操作することによって音声通信経路を確立して音声通信を行う。またデータ通信時には、制御部１７は操作部１２からの音声通信制御信号を無視するので、データ通信時に誤って操作部１２からキー入力があったとしても、データ通信が妨げられるといったことが防がれる。また、データ通信時に緊急に音声通話をする必要が生じたときには、動作優先部１９を操作することによって制御部１７が操作部１２からの音声通信制御信号を入力可能な状態とすることができる。
【００５９】
【発明の効果】
以上のように、本発明によれば、携帯電話機には情報処理装置からのコマンド信号を解釈するとともに、通信データの符号化・復号化を行うデジタルデータ通信処理部が内蔵されるので、デジタルセルラーアダプタを介すことなく情報処理装置を直接接続してデータ通信を行うことが可能である。
【００６０】
【００６１】
【００６２】
【００６３】
さらに、本発明によれば、データ通信時に緊急に音声通信する必要が生じたときには、動作優先部を操作することによって操作部から制御部へ音声通信制御信号を入力して音声通信を行うことができる。
【図面の簡単な説明】
【図１】  本発明の前提となるデジタル携帯電話機１０を示すブロック図である。
【図２】  本発明の前提となる他のデジタル携帯電話機３５を示すブロック図である。
【図３】  本発明の実施の一形態であるデジタル携帯電話機４０を示すブロック図である。
【図４】  情報処理装置１とデジタル携帯電話２との従来の接続状態を示すブロック図である。
【符号の説明】
１０，３５，４０  デジタル携帯電話機
１１  無線通信部
１２  操作部
１３  音声入出力部
１４  変換部
１５  シリアルデータ通信接続部
１６  デジタルデータ通信処理部
１７  制御部
１８  切換部
２０  情報処理装置
２１  第２シリアルデータ通信接続部
２２  データ判定部
２３，３６  第１切換部
２４，４２  第２切換部
３０  デジタルセルラーアダプタ
４１  データ解析部
【図１】
0003663053.tif 000002
【図２】
0003663053.tif 000003
【図３】
0003663053.tif 000004
【図４】
0003663053.tif 000005